(57)【要約】【課題】  ファンを回転駆動するための新たな駆動系を追加することなく、磁気テープ装置に備わっている構造的特徴を利用してディスク装置からの放熱を促進させてその発熱を抑制することのできる磁気テープ装置・ディスク装置の複合機を提供する。【解決手段】  筐体１００が吸気口１１０と排気ファン１２０を備えた排気口１３０とを有する。筐体１００に磁気テープ装置Ａとディスク装置Ｂとを横並び状態で収容する。磁気テープ装置Ａの起動モータＭ１の起動及び停止に連動して回転を開始及び停止する送風ファン４１，４２を設ける。送風ファン４１，４２は、起動モータＭ１やプーリの回転軸Ｓ１，Ｓ２に装備させることが可能である。【選択図】        図２
2010282692.tif 000002
【特許請求の範囲】
【請求項１】
吸気口と排気ファンを備えた排気口とが設けられた筐体に、起動用の電源スイッチを各別に備えた磁気テープ装置とディスク装置とが横並び状態で収容されていて、それらの磁気テープ装置とディスク装置とがそれらに共通する主電源を備えてなり、
上記磁気テープ装置が、各種動作モードの切り換わりを制御するモードスイッチと、起動用の上記電源スイッチのオン動作によって起動しかつオフ動作によって動作停止する起動モータと、この起動モータに追従回転して上記モードスイッチの動作制御機構を動作させる中間回転機構とを有し、
磁気テープ装置の上記起動モータの起動及び停止に連動して回転を開始及び停止する送風ファンが備わっていることを特徴とする磁気テープ装置・ディスク装置の複合機。
【請求項２】
上記送風ファンが、上記起動モータの回転軸と上記中間回転機構の回転軸とに各別に装備されている請求項１に記載した磁気テープ装置・ディスク装置の複合機。
【請求項３】
上記送風ファンが、上記ディスク装置に対面して配備されている請求項２に記載した磁気テープ装置・ディスク装置の複合機。
【発明の詳細な説明】
【技術分野】
【０００１】
本発明は、磁気テープ装置・ディスク装置の複合機、さらに詳しくは、磁気テープ装置の構造的特徴を利用してディスク装置の発熱を抑制する対策を講じてある磁気テープ装置・ディスク装置の複合機に関する。
【背景技術】
【０００２】
図４には磁気テープ装置Ａの概略構成を平面図で示してある。図例の磁気テープ装置Ａは、シャーシ１０に、起動モータＭ１、中間回転機構Ｐ、回転磁気ヘッドを内蔵しているドラム１１、消去ヘッド、記録ヘッド、ピンチローラ、ガイドローラなどを含む部品群１２が取り付けられているほか、カセットＣから磁気テープＴを引き出すためのローディングアーム（不図示）などが装備されている。
【０００３】
また、この種の磁気テープ装置Ａは、図示していない起動用の電源スイッチ（ＶＣＲ電源スイッチ）を有していて、そのＶＣＲ電源スイッチのオン動作によって、起動モータＭ１が起動し、併せて、モードスイッチ（不図示）の起動が待機状態になるのに対し、ＶＣＲ電源スイッチのオフ動作によって起動モータＭ１の動作が停止し、上記モードスイッチの起動の待機状態が解除される。上記モードスイッチは、カセットＣの挿入や排出、磁気テープＴのローディングやアンローディング、記録、再生、早送り、巻戻し、テープ走行停止、といった様々な動作モードの開始や停止などを行わせるためのトリガー的な作用を発揮するデバイスである。
【０００４】
中間回転機構Ｐは、起動モータＭ１に追従回転してモードスイッチの動作制御機構を動作させる機能を有している。具体的には、中間回転機構Ｐが、図４のように起動モータＭ１の回転軸に設けられたプーリＰ１にタイミングベルトＢを介して連動連結されたプーリでなる。そして、中間回転機構Ｐとしてのプーリの回転軸が、図示していないギヤ列を介して上記モードスイッチの動作制御機構に連動連結されている。
【０００５】
モードスイッチの動作制御機構の一例として次の構成を有する機構が知られている。すなわち、中間回転機構Ｐとしてのプーリにギヤ列を介して連結されている外歯歯車に同心位置で連結された回転カム板と、この回転カム板のカム溝に噛み合って位置制御されるカムピンと、このカムピンの位置に応じて状態が切り換わる様々な部品が機械的に組み合わされた機構部と、を有する構成が知られている。したがって、上記したカセットＣの挿入や排出、磁気テープＴのローディングやアンローディング、記録、再生、早送り、巻戻し、テープ走行停止、といった様々な動作モードとは、モードスイッチの状態によって択一的に選択される動作モードのことである。
【０００６】
図５にはディスク装置Ｂの概略構成を平面図で示してある。図例のディスク装置が対象としている記録媒体はＤＶＤやＣＤなどのディスクである。このディスク装置Ｂは、円板状のディスク（不図示）を給排するためのディスクトレイ（不図示）やこのディスクトレイによって給送されたディスクの記録面を光学的に処理する光ピックアップ２１、ディスクを回転させるためのターンテーブル２２、各種の動作モードの切換わりを制御するためのカムスライダ２３などを備えている。そして、この種のディスク装置Ｂは、その動作時の発熱量が多いために、動作時の放熱量をできるだけ多くしておくことが誤動作や暴走などを防ぐ上で有効であることが判っている。
【０００７】
一方、記録再生装置の分野では、ＤＶＤユニットとＶＴＲユニットとをそれらに共通の筐体に並べて収容したもの、すなわち複合機が知られている（たとえば、特許文献１参照）。そして、この特許文献１には、映像音声信号を処理するＭＰＥＧ基板に実装されるＩＣの発熱を放熱するための対策として、上記ＩＣをシャーシに面接触させて放熱面積を広く確保すると共に、筐体の後部に配置した冷却用ファンによって発生させた冷却風を、上記シャーシに接触させることが記載されている。
【０００８】
また、記録再生装置の分野では、ターンテーブルに羽根（ファン）を取り付けておき、スピンドルモータの起動によってターンテーブルが羽根と共に回転して冷却風を生じさせることが提案されている（たとえば、特許文献２、特許文献３参照）。
【０００９】
さらに、ＤＶＤレコーダに関し、冷却ファンを設けることによってＤＶＤレコーダ内部の温度上昇を抑制することが知られている（たとえば、特許文献４参照）。
【先行技術文献】
【特許文献】
【００１０】
【特許文献１】特開２００６−２８６０３６号公報
【特許文献２】特開平８−２７９２４２号公報
【特許文献３】特開平１１−１１０９５９号公報
【特許文献４】特開２００８−１０８３７０号公報
【発明の概要】
【発明が解決しようとする課題】
【００１１】
ところで、磁気テープ装置とディスク装置とをそれらに共通の筐体に横並び状態で収容させてなる磁気テープ装置・ディスク装置の複合機において、それらの各装置の内部に冷却風を生じさせて発熱部の放熱を促すことは、上掲の特許文献２〜４によって周知であると云える。また、複合機において、筐体の後部に取り付けた冷却用ファンによって発熱部の放熱を促すことも、上掲の特許文献１によって知られていると云える。
【００１２】
このような状況下で、本願発明者は、上記の磁気テープ装置・ディスク装置の複合機において、ファンを回転駆動させるための新たな駆動系（モータ）を追加することなく、ディスク装置からの放熱を促すための対策を有効に講じることができるか否かを鋭意研究した。その結果、本願発明者は、図４を参照して説明した磁気テープ装置Ａの起動モータＭ１の回転軸や中間回転機構Ｐとしてのプーリの回転軸が、当該磁気テープ装置Ａを正面から見て横向きに配備されていて、しかも、その磁気テープ装置の外郭フレームの近傍箇所に位置していることに着目して本発明を完成させるに至った。
【００１３】
したがって、本発明は、ファンを回転駆動するための新たな駆動系を追加することなく、磁気テープ装置に備わっている上記したような構造的特徴を利用してディスク装置からの放熱を促進し、その発熱を抑制することのできる磁気テープ装置・ディスク装置の複合機を提供することを目的としている。
【課題を解決するための手段】
【００１４】
本発明に係る磁気テープ装置・ディスク装置の複合機は次の構成を有している。すなわち、吸気口と排気ファンを備えた排気口とが設けられた筐体に、起動用の電源スイッチを各別に備えた磁気テープ装置とディスク装置とが横並び状態で収容されていて、それらの磁気テープ装置とディスク装置とがそれらに共通する主電源を備えている。しかも、上記磁気テープ装置が、各種動作モードの切り換わりを制御するモードスイッチと、起動用の上記電源スイッチのオン動作によって起動しかつオフ動作によって動作停止する起動モータと、この起動モータに追従回転して上記モードスイッチの動作制御機構を動作させる中間回転機構とを有している。さらに、磁気テープ装置の上記起動モータの起動及び停止に連動して回転を開始及び停止する送風ファンが備わっている。
【００１５】
この構成であれば、送風ファンが、起動モータの起動及び停止に連動して回転を開始及び停止する構成になっているので、当該送風ファンの駆動系として上記起動モータを利用することが可能である。したがって、新たな駆動系を追加する必要がない。また、上記送風ファンは、磁気テープ装置の起動モータの動作中に常時回転して送風作用を発揮するので、そのときにディスク装置が発熱している状況下ではそのディスク装置の周辺での放熱を促すことに役立つ。この作用は、ディスク装置が起動されているか否かに関係なく、磁気テープ装置の電源スイッチがオン動作されているときに常時発揮される。
【００１６】
本発明では、上記送風ファンが、上記起動モータの回転軸と上記中間回転機構の回転軸とに各別に装備されていることが望ましい。この構成であると、送風ファンの駆動系として起動モータが利用されている。しかも、起動モータの回転軸だけでなく、起動モータに追従回転する中間回転機構の回転軸にも送風ファンが装備されているので、それらの送風ファンによる送風作用によって、ディスク装置の周辺を含んで筐体の全体の放熱が促進されるようになる。
【００１７】
本発明では、上記送風ファンが、上記ディスク装置に対面して配備されていることが望ましい。この構成であれば、送風ファンの送風作用の影響が、磁気テープ装置の横に並んで配備されているディスク装置の至近距離で及ぶので、ディスク装置の放熱を促進する作用が顕著に発揮されるようになる。
【発明の効果】
【００１８】
以上のように、本発明によれば、ファンを回転駆動するための新たな駆動系を追加することなく、磁気テープ装置に備わっている構造的特徴を利用してディスク装置からの放熱を促進し、その発熱を抑制することのできる磁気テープ装置・ディスク装置の複合機を安価に提供することが可能になる。
【図面の簡単な説明】
【００１９】
【図１】本発明の実施形態に採用されている磁気テープ装置の概略構成図である。
【図２】実施形態に係る複合機の概略構成を示した平面図である。
【図３】図面代用のタイミングチャートである。
【図４】磁気テープ装置の概略構成を示した平面図である。
【図５】ディスク装置の概略構成を示した平面図である。
【発明を実施するための形態】
【００２０】
図１は本発明の実施形態に係る磁気テープ装置・ディスク装置の複合機に採用されている磁気テープ装置Ａの概略構成図である。また、図２は上記複合機の概略構成を示した平面図である。図３は主電源や起動モータなどの動作タイミングを例示した図面代用のタイミングチャートである。
【００２１】
この複合機に採用されている磁気テープ装置Ａを図１又は図４を参照して説明する。図１の磁気テープ装置Ａは、図４を参照して説明した構成を基本構成として有している。したがって、シャーシ１０に、起動モータＭ１、中間回転機構Ｐ、ドラム１１や部品群１２、ローディングアーム（不図示）などが装備されている。また、磁気テープ装置Ａに専用される起動用の電源スイッチとしてのＶＣＲ電源スイッチ（不図示）を有しているほか、モードスイッチ２０、中間回転機構Ｐとしてのプーリ、中間回転機構Ｐとしてのプーリを、起動モータＭ１の回転軸Ｓ１に設けられたプーリＰ１に追従回転させるためのタイミングベルトＢ、などを有している。さらに、モードスイッチ２０の動作制御機構は、中間回転機構Ｐとしてのプーリにギヤ列を介して連結されている外歯歯車２１に同心位置で連結された回転カム板２２と、この回転カム板２２のカム溝に噛み合って位置制御されるカムピン２３と、このカムピン２３の位置に応じて状態が切り換わる様々な部品が機械的に組み合わされた機構部（不図示）と、を有している。したがって、カセットＣの挿入や排出、磁気テープＴのローディングやアンローディング、記録、再生、早送り、巻戻し、テープ走行停止、といった様々な動作モードが、モードスイッチ２０の状態によって択一的に選択される。図１において、３０はモードスイッチ２０を搭載している配線基板である。
【００２２】
この磁気テープ装置Ａにおいて、起動モータＭ１の回転軸Ｓ１や中間回転機構Ｐとしてのプーリの回転軸Ｓ２は、当該磁気テープ装置Ａを正面から見て横向きに配備されていて、しかも、その磁気テープ装置Ａの外郭フレームの近傍箇所に位置している。
【００２３】
図２のように、この実施形態の複合機では、磁気テープ装置Ａとディスク装置Ｂとが、それらに共通の筐体１００に横並び状態で所定の間隔を隔てて収容されている。そして、磁気テープ装置ＡではカセットＣの出し入れが矢印Ｙ１方向に行われ、ディスク装置Ｂではディスクトレイ（不図示）の出退動作が矢印Ｙ２方向に行われるようになっている。また、筐体１００には、ディスク装置Ｂ側の側壁に給気口１１０が備わり、背壁に、モータ１２１によって回転駆動される排気ファン１２０を備えた排気口１３０が備わっている。さらに、磁気テープ装置Ａに装備されている上記した起動モータＭ１の回転軸Ｓ１や中間回転機構Ｐとしてのプーリの回転軸Ｓ２は、ディスク装置Ｂ側で磁気テープ装置Ａの外郭フレームの近傍箇所に位置している。
【００２４】
この実施形態では、起動モータＭ１の回転軸Ｓ１と中間回転機構Ｐとしてのプーリの回転軸Ｓ２とをディスク装置Ｂ側に延長し、それらの延長部分のそれぞれに送風ファン４１，４２を取り付けてある。また、この複合機には、磁気テープ装置Ａに専用のＶＣＲ電源スイッチとディスク装置Ｂに専用の電源スイッチ（不図示）とを待機状態にするための主電源（不図示）が装備されている。
【００２５】
図３を参照して送風ファン４１，４２などの動作タイミングやその作用を説明する。
図３のように、主電源がオン動作されると、磁気テープ装置Ａに専用のＶＣＲ電源スイッチが待機状態になり、同時に、ディスク装置Ｂに専用の電源スイッチも待機状態になる。
【００２６】
主電源がオン状態になっているときに、ＶＣＲ電源スイッチがオン動作されると、起動モータＭ１に給電されてその起動モータＭ１が起動し、併せて、中間回転機構Ｐとしてのプーリが回転するので、起動モータＭ１の回転軸Ｓ１や中間回転機構Ｐの回転軸Ｓ２に取り付けられている送風ファン４１，４２が回転し、その送風ファン４１，４２による送風作用が、ディスク装置Ｂの周辺を含めて筐体１００の内部全体に及ぶ。したがって、ディスク装置Ｂが発熱しているときには、送風ファン４１，４２による送風作用によってディスク装置Ｂの放熱が促されてディスク装置Ｂの放熱効率が向上する。
主電源がオン状態になっているときに、ＶＣＲ電源スイッチがオフ動作されると、ＶＣＲ電源スイッチが待機状態に切り換わり、起動モータＭ１への給電が停止してその起動モータＭ１の動作が停止する。したがって、送風ファン４１，４２の回転も停止する。
【００２７】
主電源がオフ状態に切り換えられると、ＶＣＲ電源スイッチの待機状態が解除される。
【００２８】
この実施形態において、磁気テープ装置Ａでは、それに専用のＶＣＲ電源スイッチがオン状態のときに、モードスイッチ２０による動作モードの選択が可能になる。このような動作モードの選択は、磁気テープ装置Ａのフロントパネルに設けられているモード選択ボタン（不図示）を操作することによって行われる。
【００２９】
一方、筐体１００に取り付けられている排気ファン１２０は、たとえば図３に示したように、主電源がオン動作されることによって回転を開始し、主電源がオフ動作されることによって回転を停止するように制御される。そして、排気ファン１２０が回転することによって、吸気口１１０から筐体１００内に空気が吸い込まれ、その空気がディスク装置Ｂの周辺や筐体１００の内部を流動した後、排気口１３０から外部に排気される。したがって、排気ファン１２０の回転によって、ディスク装置Ｂや磁気テープ装置Ａからの放熱が行われる。
【００３０】
この実施形態において、磁気テープ装置Ａの起動モータＭ１については、その回転方向が正逆両方向に定められていることもある。そのため、起動モータＭ１が正方向回転しているときと、逆方向回転しているときとでは、送風ファン４１，４２の回転方向が変わるためにその送風作用による風向きも変化する。したがって、排気ファン１２０によって発生する筐体１００内部での気流の方向と、送風ファン４１，４２の送風作用による風向きとが同じ方向になるときには、ディスク装置Ｂからの放熱作用が顕著に促進されることになる。
【００３１】
この実施形態では、起動モータＭ１の回転軸Ｓ１と中間回転機構Ｐとしてのプーリの回転軸Ｓ２との両方に送風ファン４１，４２を取り付けた事例を説明したけれども、この点は、それらのうちの一方だけに送風ファンを取り付けておくことも可能である。
【００３２】
なお、上記した実施形態において、ディスク装置としては、ＣＤを記録媒体として取り扱うディスク装置や、ＤＶＤを記録媒体として取り扱うディスク装置が該当している。
【符号の説明】
【００３３】
Ａ  磁気テープ装置
Ｂ  ディスク装置
２０  モードスイッチ
４１，４２  送風ファン
１００  筐体
１１０  吸気口
１２０  排気ファン
１３０  排気口
Ｍ１  起動モータ
Ｐ  中間回転機構
Ｓ１，Ｓ２  回転軸
【図１】
2010282692.tif 000003
【図２】
2010282692.tif 000004
【図３】
2010282692.tif 000005
【図４】
2010282692.tif 000006
【図５】
2010282692.tif 000007